(57)【特許請求の範囲】
【請求項１】
一対の内蓋（Ｃ3）と一対の外蓋（Ｃ4）とを備える包装箱の封緘具であって、
当該封緘具は、前記一対の外蓋（Ｃ４）同士のみを連結するもので、略並行に配置された上押え（Ｄ1）と下押え（Ｄ3）、及び、前記上押え（Ｄ1）と前記下押え（Ｄ3）とを連結する支柱（Ｄ2）とから成り、
包装箱への装着状態に於いて、前記下押え（Ｄ3）は、一対の外蓋が上方に浮き上がらないよう押えるに足る長さ幅を成し、前記上押え（Ｄ1）は、前記下押え（Ｄ3）の長さ幅よりも短い長さ幅で、前記一対の外蓋（Ｃ4）が下方に落ち込まないよう押えるには足りない長さ幅を成す、
前記一対の外蓋（Ｃ４）が下方に落ち込まないよう受け支える機能は、前記一対の内蓋（Ｃ３）の存在に依存する、ことを特徴とする封緘具。
【発明の詳細な説明】
【技術分野】
【０００１】
本発明は、一対の内蓋と一対の外蓋とを有して成る段ボール箱等、包装箱の封緘具に関す。
尚、本封緘具は、一対の外蓋同士を連結するかたちで封緘する封緘具に関す。云いかえるなら、封緘具を内蓋に絡ませることなく、一対の外蓋の合せ目筋の任意の位置に取り付ける封緘具である。
例えば、特許文献１、２のものが、この類の封緘具である。
【０００２】
特許文献１、２に見る封緘具は、一対の外蓋が上方に浮き上がらないよう押えるに足る長さ幅（あるいは径）をもつ下押えとともに、一対の外蓋が下方に落ち込まないよう押えるに足る長さ幅（あるいは径）をもつ上押えを併せもつものである。
【０００３】
以下、上押えについて、一対の外蓋が下方に落ち込まないよう押えるに足る長さ幅を「長い長さ幅」とも云う。
また、下押えについても、一対の外蓋が上方に浮き上がらないよう押えるに足る長さ幅を「長い長さ幅」とも云う。
【０００４】
即ち、特許文献１、２に見る封緘具は、「長い長さ幅をもつ上押え」と「長い長さ幅をもつ下押え」を併せもち、長い長さ幅をもつ上押えと、長い長さ幅をもつ下押えとで成す「奥行きの深い挟み口」をもつものである。
【背景技術】
【０００５】
長い長さ幅をもつ上押えは、封緘した段ボール箱の上に他の箱を上積みする場合、その存在自体（の出っ張り）が引っ掛かる、あるいは突っ掛かる、あるいは上積みした箱が安定しないなど、荷扱いをする上での支障となる。
【０００６】
奥行きが深い挟み口を以って、局所的にロックする従来の封緘方法は、段ボール箱にも封緘具にも無理がかかる。
段ボール箱の外蓋は、撓む（たわむ）性質をもつものであることから、重い箱が積み重ねられた場合などには、殊更に無理が掛かることになる。
【先行技術文献】
【特許文献】
【０００７】
【特許文献１】特開平１１−５９６６３号
【特許文献２】欧州特許出願公開第１６７１８８９号
【発明の概要】
【発明が解決しようとする課題】
【０００８】
封緘具としての機能に支障を及ぼさない限りに於ける方法を以って、上押えの大きさを如何に小さくするかが、本発明の最大の課題である。
即ち、段ボール箱ならびに封緘具に無理がかからないようにする、また段ボール箱を荷扱いする上で、前記したような支障が生じないよう、あるいは軽減されるようにすることである。云うならば、実用的な封緘具を得ることである。
【０００９】
尚、一対の外蓋の合せ目筋の任意の位置に取り付けできるものであること、及び、封緘具を直に内蓋に絡ませることなく封緘できるものであること、及び、市販の段ボール箱にそのまま使用できるものであることとする。
【課題を解決するための手段】
【００１０】
従来の封緘具がもつ機能のうち、一対の外蓋が下方に落ち込まないよう押えるための機能を、一対の内蓋の存在に依存する方法をとるものにした。即ち、内蓋の受け支えに依存する方法をとるものとした。
【００１１】
本発明の封緘具は、下押えについては、一対の外蓋が上方に浮き上がらないよう押えるに足る「長い長さ幅」をもつが、上押えについては、一対の外蓋が下方に落ち込まないよう押えるには足りない長さ幅（以下、「短い長さ幅」とも云う）をもつものとした。
本発明は、上押えについて、一対の外蓋が下方に落ち込まないよう押えるに足る機能をもつものとせず、その機能は、一対の内蓋の存在（受け支え）に依存する方法をとるものとした、と云うものである。
この方法を取ることにより、上押えの大きさを小さくできるものにした。即ち、上押えの長さ幅を短くすることができるものにした。
【００１２】
因みに、上押えは、一対の外蓋が上方に逃げないように引き止め得る、あるいは引っ掛け得る程度の長さ幅、即ち、僅かに一対の外蓋の縁を渡し押える程度の「短い長さ幅」を以って成るものとした。
云ってみれば、内蓋の存在（受け支え）がないと仮定するならば、一対の外蓋は下方に（箱の内側に）落ち込んでしまう形態を成す、と云うものである。
上記については、図７を以って詳しく説明する。
【発明の効果】
【００１３】
荷扱いに於ける支障を解消する、あるいは軽微にする形態のものとなった。
また、封緘具にとっても、包装箱にとっても無理が掛からない封緘ができるものとなり、実用に適した封緘具を得ることができた。
【図面の簡単な説明】
【００１４】
【図１】従来の封緘具（特許文献１のもの）である。
【図２】本発明の封緘具（実施例１）である。
【図３】図２に係る説明図である。
【図４】従来の封緘具（特許文献２のもの）である。
【図５】本発明の封緘具（実施例２）である。
【図６】図５に係る説明図である。
【図７】本発明の封緘具の機能を説明する図である。
【図８】本発明の封緘具の機能を説明する図である。
【発明を実施するための形態】
【００１５】
実施例を説明する上で、図を見たままの状態で、上、下、縦、横、左、右、向こう、手前、内、外、裏、表の意味を使い分ける。
包装箱は、段ボール箱を念頭にして説明する。
段ボール箱は、幅面と長さ面がある。主に幅面を見る方向から見たかたちで表現する。
本書では、一対の外蓋を左側と右側、即ち、左右に見るかたちで表現する。また、一対の外蓋の合せ目を縦筋に見るかたちで表現する。
【００１６】
封緘状態における封緘具を、段ボール箱の幅面(Ｃ１)を見る方向から見た側を長さ側と云い、同方向から見る左右に延びる幅を長さ幅と云う。長さ側の側面を長さ側側面と云う。
封緘状態に於ける封緘具を、段ボール箱の長さ面(Ｃ２)を見る方向から見た側を幅側と云う。幅側の側面を幅側側面と云う。
封緘状態とは、封緘具を所定の体勢に装着した状態を云う。
封緘状態にない封緘具を見る表現に於いても、封緘状態にある封緘具に見立てて、同じく、長さ側、長さ幅、長さ側側面、幅側、幅側側面と云う。
【００１７】
本封緘具は、内蓋の存在が無いと仮定した状態に於いては、上方から下押しする作用を受けたとき、一対の外蓋は下方に（箱の内側に）落ち込んでしまう形態を以って成るものである。
側面から見るそれぞれの図は、内蓋の存在を省略しているので、この点を含んでおいていただきたい。
【００１８】
本封緘具は、封緘具自体を内蓋に絡ませる方法を取るものではない。よって特別な説明をしない限り、封緘具自体を内蓋に絡ませない状態、あるいは内蓋に絡ませないことを前提とした説明、記載である。
【００１９】
本封緘具は、封緘具を内蓋に絡ませない方法を以って、蓋を閉じる形態をとるもので、封緘する際の取り付け方法の違いから、２つの形態がある。
１つは、特許文献１に見る形態で、側面から見るかたちに於いて、支柱の左方または右方のどちらか片方に向いた挟み口を有して成る形態のものである。
もう１つは、特許文献２に見る形態で、側面から見るかたちに於いて、支柱の左方と右方の両方に向いた挟み口を有して成る形態のものである。
【００２０】
以下、特許文献１、２のものと比較するかたちに於いて、本発明の封緘具を説明する。
【００２１】
以下、図を追って説明する。
【００２２】
図１を説明する。
図１は、従来の封緘具（特許文献１の封緘具）である。
図１(２)に見るように、側面から見るかたちに於いて、支柱の左方または右方のどちらか片方に向く挟み口を有する形態の封緘具である。
図１(１)は、斜視図である。図１(２)は、幅側側面を見た（Ａ方向から見た）側面図である。図１(３)は、長さ側側面を見た（Ｂ方向から見た）側面図である。
図１(１)(２)(３)は、同文献１の図２、７、９(Ｂ)のイメージを移した図である。
【００２３】
図２（実施例１）を説明する。
図２は、図１と比較して説明する本発明の封緘具である。
図２に示す封緘具は、図１のものと同じく側面から見るかたちに於いて、支柱の左方または右方のどちらか片方に向く挟み口を有する形態の封緘具である。
図２(１)は、斜視図である。図２(２)は、幅側側面を見た（Ａ方向から見た）側面図である。図２(３)は、長さ側側面を見た（Ｂ方向から見た）側面図である。
【００２４】
従来の封緘具と本発明の封緘具との違いの焦点は、主として、図１(３)と図２(３)の上押え(Ｄ１)の長さ幅の違いである。即ち、上押えの長さ幅に係る概念の違いである。
このことについては、後段で改めて説明する。
【００２５】
図３を説明する。
図３(１)(３)は、図２に示した本封緘具について封緘する操作の過程を示した図である。
図３(２)は図３(１)の状態、図３(４)は図３(３)の状態を、段ボール箱の幅面(Ｃ１)を見る方向から見た部分図である。
図３(１)は、片方（右方）の外蓋に取り付けた様子を示した図である。この状態に於いて、下押えだけが相手方（左方）に差し出される。
差し出された下押えの上に、もう片方（左方）の外蓋を折り重ね、一対の外蓋を平らな状態にたたみ合わせた上で、上押えを回転させ、一対の外蓋を連結して封緘状態にする。
図３(３)は、封緘状態を示した図である。即ち、上押えを回転させ、上押えを一対の外蓋の上に掛け渡した状態を示した図である。
因みに、下押えの形状が円形ではなく、長手に延びる形状の場合であれば、即ち、幅側側面の幅（左右に延びる長さ）よりも、長さ側側面の長さ幅の方を長いかたちに成したものの場合であれば、「上押えを回転させ、上押えを一対の外蓋の上に掛け渡し、同時に下押えの長手方向（長さが延びる方向）を、一対の外蓋の合せ目筋（縦筋）に交叉する方向に向ける」、とする操作によって成した状態を示す図でもある。
【００２６】
図４を説明する。
図４は、従来の封緘具（特許文献２のもの）である。
図４(２)に見るように、側面から見るかたちに於いて、支柱の左方と右方の両方に向く挟み口を有する形態の封緘具である。
図４(１)は、平面図である。図４(２)は、幅側側面から見た（Ａ方向から見た）側面図である。図４(３)は、長さ側側面を見た（Ｂ方向から見た）側面図である。
図４(１)(２)(３)は、同文献２の図２、３、１のイメージを移した図である。
【００２７】
図５（実施例２）を説明する。
図５は、図４と対比して説明する本発明の封緘具である。
図５に示す封緘具は、図４のものと同じく側面から見るかたちに於いて、支柱の左方と右方の両方に向く挟み口を有する形態の封緘具である。
図５(１)は、斜視図である。図５(２)は、幅側側面を見た（Ａ方向から見た）側面図である。
図５(３)は、長さ側側面を見た（Ｂ方向から見た）側面図である。
【００２８】
従来の封緘具と本発明の封緘具との違いの焦点は、主として、図４(３)と図５(３)の上押え(Ｄ１)の長さ幅の違いである。即ち、上押えの長さ幅に係る概念の違いである。このことについては、後段で改めて説明する。
【００２９】
図６を説明する。
図６(１)(３)は、図５に示した封緘具について、封緘する操作の過程を示した図である。
図６(２)は図６(１)の状態、図６(４)は図６(３)の状態を段ボール箱の幅面(Ｃ１)を見る方向から見た部分図である。
図６(１)は、一対の外蓋を浮かせた状態（半閉じ状態）にし、その合わせ目に本封緘具を挟み入れた様子を示した図である。この状態から、封緘具とともに一対の外蓋を下押しして、一対の外蓋を平らな状態にたたみ合せ、然る後に上押えを回転させて一対の外蓋を連結して封緘状態にする。
図６(３)は、封緘状態を示した図である、即ち、上押えを操作して、下押えの長手方向を外蓋の合せ目筋（縦筋）に交叉する方向に向けた状態を示した図である。
【００３０】
図７を説明する。
本封緘具は、下押えは一対の外蓋が上方に浮き上がらないよう押えるに足る長い長さ幅を成すものとする。対して、「上押えについては、一対の外蓋が下方に落ち込まないよう押えるには足りない短い長さ幅を以って成す」とするものである。
即ち、一対の外蓋が、下方に落ち込まないよう押える機能は「一対の内蓋の存在（受け支え）に依存する方法をとる」とするものである。
【００３１】
図７は、一対の外蓋が、上方から下押しする作用(Ｐ１)を受けたとき、下方に（箱の内側に）落ち込まないよう押えるには足りない、とする短い長さ幅をもつ上押えについて説明する図である。
【００３２】
図７(１)は、本封緘具について、封緘状態を段ボール箱の幅面を見る方向から見た部分図で、図３(４)、図６(４)に示した図と同じ図である。
図７(１)は、一対の外蓋を概ね平らな状態に連結した様子（封緘状態）を示す部分図である。
【００３３】
図７で説明したいことは、図７(１)の封緘状態に於いて、但し、内蓋が存在しないと仮定した状態に於いて、上方から下押しする作用(Ｐ１)を受けたとき、図７(２)(３)に示すように、一対の外蓋と封緘具は、押されるがまま下方に落ち込んで行き、「一対の外蓋は、挟み口から抜け外れてしまうほどの奥行きの浅い挟み口を成す短い長さ幅(Ｇ１)の上押えを構成している」ということである。
然様に短い長さ幅（Ｇ１）を本書では、「下方に落ち込まないよう押えるには足りない長さ幅」、あるいは「短い長さ幅」と称しているものである。
【００３４】
即ち、本封緘具は、長さ側の長さ幅として、下押え(Ｄ３)は、一対の外蓋が上方（外側）に浮き上がらないよう押えるに足る「長い長さ幅(Ｇ２)」を以って成る。対して、上押え(Ｄ１)は、一対の外蓋が下方に落ち込まないよう押えるには足りない「短い長さ幅(Ｇ１)」を以って成る、と云うものである。
そのかたちは、長い長さ幅で成る下押えと、短い長さ幅を以って成る上押えとで「奥行きの浅い挟み口」を成す、と云うものでもある。
【００３５】
上記のかたちは、外蓋(Ｃ４)にも封緘具にも無理がかからないようにするため、及び上押えが荷扱いの支障にならないようにするためである。例えば、上積される他の箱の荷重が過剰であったとき、図７(２)(３)に示すように封緘具は外蓋から逃げる（外れる）ことができる、外蓋も封緘具から解放される、とするかたちをとるものである。
【００３６】
本封緘具は、一対の外蓋が下方に落ち込まないよう押える機能について、一対の内蓋の存在（受け支え）に依存するものとしていることから、実際には、一対の外蓋が図７(２)(３)に示す如くに落ち込むようなことはないが、封緘具と外蓋との関係に於いて、図７(２)(３)に示すような遊び（動きの余裕）をもつものであることを説明するものである。
【００３７】
図７(４)は、 段ボール箱がもつ特性について補足説明する図である。
段ボール箱は、図７(１)に示したかたちが、使用する経過の中で図７(４)に示すように緩やかな撓みをもつ場合がある。
本封緘具は、一対の外蓋を押える形態に遊びをもっていることから、このような撓みにも順応して適切に封緘状態を保持することができる。因みに、図７(２)(３)では撓みのない外蓋を連結するかたちを以って示したが、撓みを生じた外蓋であっても適切に封緘することができる。
【００３８】
段ボール箱の外蓋は、緩やかに撓む性質をもっている。時間の経過による撓みもある。上積される他の箱の荷重によって生ずる撓みもある。
本封緘具は、外蓋の撓みに順応する形態を成すものである。尚、本発明は上押えを小さく、薄くして、その撓みの中に上押えの存在が埋没することによって、荷扱いの邪魔にならないよう、あるいは支障にならないよう、最も撓みが大きくなる開口部の中央位置に取り付け得るもの、としているものでもある。
【００３９】
図７(４)は、外蓋(Ｃ４)とともに内蓋(Ｃ３)も撓んだ状態を示した図である。
本封緘具は、図３、６で示すように、基本的な使い方として開口部の中央寄りの位置、即ち、一対の内蓋と内蓋とが向い合う間隔の内（内蓋が存在しない位置、内蓋が届かない位置）に取り付ける使い方を意識したものである。よって、段ボール箱の幅面を見る方向から透かし見るかたちは、図７(４)に示すように下押え(Ｄ３)の手前側に内蓋(Ｃ３)の存在が見えるものとなる。
【００４０】
図７(２)(３)でわかるように、上方から下押しする作用(Ｐ１)を受けたとき、封緘具は押されるがまま下方に落ち込んでいく、その落ち込みを食い止める（歯止めとなる）のは内蓋の存在である。
図７(４)は、内蓋が一対の外蓋を受け支えている、あるいは短い長さ幅の上押えに代わって、一対の外蓋を受け支えている状況を示したものである。
例えば、上押えが長い長さ幅を成すものであったとしても、局所的に押える封緘方法をとる以上、結局は図７(４)に示すように、内蓋の受け支えにゆだねられるものになる。
このとき、例えば、上押えが長い長さ幅であったとするならば、上押えにとっても、また上押えの長い長さ幅によって押えられる外蓋にとっても大きな無理がかかる、然様なことから、無理が掛からない方法を選択すべきであり、本発明は、然様な思想を以って成したものである。
【００４１】
本封緘具は、敢えて、一対の外蓋が下方に落ち込まないように押えるに足る長さ幅をもつものとせず、その機能を一対の内蓋の存在（受け支え）に依存するものとしたが、一対の内蓋による支えは、従来の封緘具（特許文献１、２のもの）がもつ一対の外蓋が、下方に落ち込まないように押える上押えの機能に比べて劣るものではない。
【００４２】
本封緘具についての実施例では、例えば、開口部が縦３８センチ、横３０センチの段ボール箱（身近にあるみかん箱）の場合、即ち、片方の外蓋の横幅が１５センチの場合に於ける実施例では、上押えの長さ幅は、２,５〜４センチ、下押えの長さ幅は８〜１６センチの範囲で実験した。下押えの長さ幅を１２センチほど、上押えの長さ幅を３センチほどにして程良い実感を得た。
因みに、上記の実感あるいは評価は一例であって、段ボール箱の状態によって、あるいは外蓋の厚みや紙質の強さによって、あるいは評価する人によって、まちまちの結果になることは云うまでも無い。長さ幅を何センチにするかは任意に設定して良い。
【００４３】
特許文献１、２のものの場合で、一対の外蓋が下方に落ち込まないよう押えるための長さ幅を同上サイズの外蓋を対象として考えるとき、控えめに見ても上押えの長さ幅は８〜１２センチ程度のものと考えられる。それと比べると本封緘具に於ける上押えの長さ幅は２分の１〜４分の１ほどの大きさ（小さなもの）にすることができる。
【００４４】
因みに、外蓋の横幅が大きく、それに比例して下押えの長さ幅を長くする場合でも、それに比例して上押えの長さ幅を長くする必要はない。云うならば、本封緘具に於ける上押えは、「下押えとともに奥行きの深い挟み口を形成する」とした従来の封緘具に於けるかたち（あるいは概念）をもつものではないからである。
【００４５】
図８を説明する。
図８は、一対の外蓋が、下方から（箱の内側から）押し上げる作用(Ｐ２)を受けたとき、上方に（外側に）浮き上がらないよう押えるに足る長さ幅をもつ下押えについて説明する図である。
図８(１)は、本封緘具について、封緘状態を段ボール箱の幅面を見る方向から見た部分図で、図３(４)、図６(４)に示した図と同じ図である。即ち、図８(１)は、一対の外蓋を概ね平らな状態に連結した様子を示す部分図である。
【００４６】
もしも、図８(２）に示すように、下押えの長さ幅が短い、あるいは図８(３)に示すように下押えの長さ幅が中途半端なものであったと仮定して、下方から押し上げる作用(Ｐ２)を受けたら、図に示すように一対の外蓋は上方に浮き上がってしまう。
本封緘具に於ける下押えは、図８(４)に示すように一対の外蓋が平らに連結された状態で安定する所要の長さ幅(Ｇ２)をもつ、あるいは充分な長さ幅(Ｇ２)をもつ、とするものである。
然様に、一対の外蓋が平らに連結された状態で安定するための所要の長さ幅を、本書では「上方に浮き上がらないよう押えるに足る長さ幅」あるいは「長い長さ幅」と称しているものである。
【００４７】
下押えについて、所要の長さ幅をどれだけのものにするか、あるいは充分な長さ幅をどれだけのものにするかは任意に設定して良い。因みに、外蓋の幅だけでなく、厚みや、紙質の強さなども勘案した上で設定することが望ましい。
本発明の封緘具は、内蓋が届かない位置に取り付け得る封緘具、あるいは封緘具を内蓋に直に絡ませることなく使用し得る封緘具として、一対の外蓋が上方に浮き上がらないよう押える機能として、下押えについて長い長さ幅を以って成るものとしているものである。下押えの長さ幅については、ゆとり（安全）を見て長めに設定するのが良い。
【００４８】
本発明は、上押えの長さ幅が下押えの長さ幅よりも相対的に短いと云っているものではない。図７で説明しているように、上方から下押しする作用(Ｐ１)を受けたとき、一対の外蓋は押されるがまま落ち込み、ついには封緘具の挟み口から抜け外れてしまうほどの短い長さ幅を云っているものである。
封緘具の側から云うならば、上方から下押しする作用を受けたとき（但し、内蓋の存在がないと仮定した状態に於いて）、敢えて、封緘具は押されるがまま落ち込み、一対の外蓋から外れ行くかたちを成す、と云うものである。
端的に云うならば、上押えの長さ幅の程度として、あるいは挟み口の形態として、上方から下押しする作用を受けたとき、押されるがまま一対の外蓋から外れて行くように構成したものである、と云うことである。
【００４９】
特許文献１、２のものは、それぞれ「上押えと下押えを以って一対の外蓋を封緘状態に挟持する、あるいは保持する」と云うものであるから、本封緘具と対比して、明らかに異なる形態を成すものである。
【００５０】
尚、特許文献１、２のものは、本封緘具で云う「短い長さ幅」の概念あるいは技術思想をもつものではない。
【００５１】
以上に、本封緘具の主眼である「長さ側側面に見る形態」について説明したが、同実施例に於ける「幅側側面に見る形態」は、下押えの横幅が２センチほど、上押えの横幅が４センチほど（但し、図５に示したものの場合）にして実験した。
幅側側面に見るかたちについては、制約あるいは制限するものではないが、上押えの横幅は長すぎないようにすることが好ましい。
【００５２】
以下は、全体的な補足事項である。
【００５３】
本書に於いては、従来の封緘具との違いを分りやすく説明するために、敢えて従来の封緘具の形態をそのままスライドするかたちで示し、上押えの長さ幅について、違いがわかるように表現したが、本封緘具としての機能を損なわない限り、上押えについて、その形状、輪郭、大きさ（サイズ）、デザイン、形態など任意に決めて良い。
尚、使用する材料、材質について限定するものではないが、下押えは撓らない材質のものが良い。支柱は、強い材質のものが良い。実施例では、＃１２(2.6〜2.5ミリ径)の金属線を使用した。
【００５４】
本発明は、段ボール箱を主たる対象として、段ボール箱を念頭に説明した内容になっているが、段ボール箱以外の箱にも適用あるいは使用できるものである。
本書では、それらの箱を包装箱と総称した。
【００５５】
本発明の技術思想は、特許文献１、２のものに限らず、下押えと上押えとを連結して成る他の封緘具にも適用することができる。
【００５６】
本発明は、全体の図を通して発明の全容を説明しているものであって、個々の図で説明する技術内容によって、請求項に記載する技術内容は限定されるものではない。
【００５７】
以上で、本封緘具についての本論は終了する。
以下は、「従来の封緘具（特許文献１、２のもの）について、下押えは一対の外蓋が上方に浮き上がらないよう押えるに足る所要の長さ幅をもち、上押えも一対の外蓋が下方に落ち込まないよう押えるに足る所要の長さ幅をもつ、即ち、封緘具自体として一対の外蓋を封緘状態に挟持する、あるいは保持する機能をもつものである。」と解釈した根拠を述べるものである。
【００５８】
特許文献１の封緘具は、その明細書に「連結部材を容器の両蓋の間に配した状態で、その連結部材を中心にして押え部材を回転させ、受け部材の前記面と押え部材の前記面とで、前記両蓋を挟持することによって、それら両蓋を押えて閉じることが可能な両開き蓋付き容器用クリップ」であると記載している。
【００５９】
特許文献１のものは、その図９(Ｂ)に同文献を代表するかたちとして、下押えより上押えの径が大きいかたちを示している。
その図１３には、上押えの半径が、下押えの半径よりも小さくしたものを示している。そして「半径の大小関係が逆でも良い、この場合、材料の削減が可能である。」と説明している。
その図１４には、「下押えが六角形とされ、上押えが矩形」のものを示している、そして「この図のように上押えのみならず下押えの形状は、その機能を発揮する限り任意である」と説明している。
それらのことから読み取れるように、本発明で云う技術思想に係るような、思想、概念をもつものでも、それを示唆するものでもない。
【００６０】
特許文献２の封緘具は、その図１、２に見るように、上押えの長さ幅が下押えの長さ幅よりも短いものになっているが、相対的に短いということであって、実体として、短いというものではない。即ち、上押えは上方から下押しする作用を受けても、一対の外蓋が不要に下方に落ち込まないよう押えるに足る長さ幅をもっているものである。
その和文抄録に「ふた２を上板３と保持板５が挟んで保持する。」と記載されている。また、同文献２の図５、６を以って、内蓋の支えに依存するような方法によらず、また、封緘具を内蓋に絡ませる方法によらず、封緘具自体で封緘状態を完成する形態をもつものであることを示している。
即ち、上方から下押しする作用を受けても、下方に（箱の内側に）落ち込まないように押えるに足る所要の長さ幅をもった上押えと、下方から押し上げる作用を受けても、上方に（箱の外に）浮き上がらないよう押えるに足る所要の長さ幅をもった下押えを構成して成るものである。
【００６１】
特許文献１のものと、特許文献２のものは、図の表現に於いてはやや異なるものの、共に上押えと下押えとを以って「挟持する」あるいは「保持する」と云うものである。
即ち、従来の封緘具は、内蓋の存在が有る無しにかかわらず、「上方から下押しする作用を受けたとき、下方に落ち込まないよう押えるに足る所要の長さ幅をもつ上押え」と「下方から押し上げる作用を受けたとき、上方に浮き上がらないよう押えるに足る所要の長さ幅をもつ下押え」を構成して成るものである。
以上に、従来の封緘具について解釈した根拠を述べた。
【産業上の利用可能性】
【００６２】
物の保管、移送など荷扱いに於ける支障を、解消あるいは軽減する封緘具になった。
家庭用から産業用まで広い範囲の用途で実用することができる。
【符号の説明】
【００６３】
包装箱
Ｃ１    幅面
Ｃ２    長さ面
Ｃ３    内蓋
Ｃ４    外蓋
封緘具
Ｄ１    上押え
Ｄ２    支柱
Ｄ３    下押え
【要約】
【課題】封緘具を構成する上押えが、荷扱いの支障にならないよう、できるだけ小さなものにする。段ボール箱ならびに封緘具に無理がかからないよう封緘できるものにする。
【解決手段】下押えは、一対の外蓋が上方に浮き上がらないよう押えるに足る「長い長さ幅」を成すものとするが、上押えは、一対の外蓋が下方に落ち込まないよう押えるには足りない「短い長さ幅」を成すものとした。即ち、一対の外蓋が、下方に落ち込まないよう押える機能は、「一対の内蓋の存在（受け支え）に依存する方法をとる」とするものとした。以上の方法を取ることにより、従来のものと比べて上押えを小さなかたちにすることができるものになった。また、段ボール箱にも封緘具にも無理が掛からない封緘ができるものになった。
【選択図】  図７【図１】
0005807817.tif 000002
【図２】
0005807817.tif 000003
【図３】
0005807817.tif 000004
【図４】
0005807817.tif 000005
【図５】
0005807817.tif 000006
【図６】
0005807817.tif 000007
【図７】
0005807817.tif 000008
【図８】
0005807817.tif 000009